(57)【特許請求の範囲】
【請求項１】
電線を結線する相手側コネクタがプリント基板の実装面と略平行に挿入できるように、当該プリント基板に実装される電気コネクタであって、
相手側ハウジングが嵌合する開口を第１側面に設け、この第１側面に開口された空洞のコンタクト収容室を有する直方体状の第１ハウジングと、
相手側コンタクトに接続するブレード状の接続片を前記コンタクト収容室の内部で対向して配置する一対のＵ字状の第１コンタクトと、を備え、
前記第１ハウジングは、相反する向きに向かう一対の切り欠き部を前記第１側面の両翼に隣接する第２側面及び第３側面に有し、
前記第１コンタクトは、前記接続片の基端部から反転するように延びて、当該接続片に対向する帯板状の放熱片を有し、
この放熱片は、その外面が前記切り欠き部に表出すると共に、前記プリント基板の実装面にハンダ接合可能な底面を有している、電気コネクタ。
【請求項２】
前記放熱片は、当該放熱片の一部が前記切り欠き部から突出して、前記プリント基板にハンダ接合可能な補強タブを有する請求項１記載の電気コネクタ。
【請求項３】
電線を結線する相手側コネクタがプリント基板の実装面と略垂直に挿入できるように、当該プリント基板に実装される電気コネクタであって、
相手側ハウジングが嵌合する開口を第１側面に設け、この第１側面に開口された空洞のコンタクト収容室を有する直方体状の第２ハウジングと、
相手側コンタクトに接続するブレード状の接続片を前記コンタクト収容室の内部で対向して配置する一対のＵ字状の第２コンタクトと、を備え、
前記第２ハウジングは、相反する向きに向かう一対の切り欠き部を前記第１側面の両翼に隣接する第２側面及び第３側面に有し、
前記第２コンタクトは、前記接続片の基端部から反転するように延びて、当該接続片に対向する帯板状の放熱片を有し、
この放熱片は、その外面が前記切り欠き部に表出すると共に、当該放熱片の一部が前記切り欠き部から突出して前記プリント基板の実装面にハンダ接合可能な補強タブを有している、電気コネクタ。
【発明の詳細な説明】
【技術分野】
【０００１】
本発明は、電気コネクタに関する。特に、電源用電流が供給される相手側コンタクトに接続するコンタクトが放熱効果を有する電気コネクタの構造に関する。
【背景技術】
【０００２】
近年の小型化した携帯用電子機器、例えば、ＤＳＣ（Ｄｉｇｉｔａｌ  Ｓｔｉｌｌ  Ｃａｍｅｒａ）や携帯電話機、ＣＤプレイヤー又はＭＤプレイヤーなどには、バッテリーが内蔵されている。このバッテリー電源を前記電子機器に備わる回路基板（プリント基板）に供給するために、極小型、いわゆるチップサイズパッケージ型のワイヤー・ツー・ボード・コネクタ（Ｗｉｒｅ  ｔｏ  Ｂｏａｒｄ  Ｃｏｎｎｅｃｔｏｒ）が用いられている。
【０００３】
前述したワイヤー・ツー・ボード・コネクタは、例えば、ソケットコネクタとベースコネクタで構成されている。そして、ソケットコネクタは、バッテリーから延びるリード線の端部を圧着したソケットコンタクトを有し、プリント基板に実装されたベースコネクタは、ソケットコンタクトに接続するブレードコンタクトを有する電気コネクタが開示されている（例えば、特許文献１参照）。
【０００４】
特許文献１による電気コネクタは、対向する一対の第１側壁、及び一対の第１側壁と直交する第２側壁で凹部を形成するベースコネクタに対して、第２側壁から凹部に向って挿嵌され、ソケットコンタクトと接続されるためのコンタクト接続部が凹部の底面に当接する構造としたので、従来のように、ブレードコンタクトをベースの底面から圧入して、ブレードコンタクトの姿勢を保持することなく、凹部の底面と第２側壁とでブレードコンタクトの姿勢を保持できる、としている。したがって、ベースの肉厚を薄くでき、ベースコネクタの更なる低背化が実現できる、としている。
【先行技術文献】
【特許文献】
【０００５】
【特許文献１】特開２００６−１２８０３４号公報
【発明の概要】
【発明が解決しようとする課題】
【０００６】
しかしながら、特許文献１によるブレードコンタクトは、その大部分が断熱材からなるハウジングで覆われているので、ソケットコンタクトから供給される定格電流値が大きくなると、ブレードコンタクトが熱上昇するという問題がある。
【０００７】
電源用電流が供給される相手側コンタクトに接続するコンタクトが放熱効果を有するように電気コネクタを構成できれば、定格電流値を大きくすることが可能になる。更に、この電気コネクタを内蔵する電子機器の内部発熱を抑制することも可能になる。そして、以上のことが本発明の課題といってよい。
【０００８】
本発明は、このような課題に鑑みてなされたものであり、電源用電流が供給される相手側コンタクトに接続するコンタクトが放熱効果を有する電気コネクタを提供することを目的とする。
【課題を解決するための手段】
【０００９】
本発明者は、電源用電流が供給される相手側コンタクトに接続するコンタクトの多くの外面がハウジングから表出して放熱するように電気コネクタを構成することにより、この課題が解決可能なことを見出し、これに基づいて、以下のような新たな電気コネクタを発明するに至った。
【００１０】
（１）  電線を結線する相手側コネクタが挿入され、プリント基板に実装される電気コネクタであって、相手側ハウジングが嵌合する開口、及びこの開口に連設された空洞のコンタクト収容室を有する直方体状のハウジングと、相手側コンタクトと前記プリント基板とを電気的に接続する一つ以上のコンタクトと、を備え、前記コンタクトは、相手側コンタクトに接続する接続部と、前記プリント基板に接続するリード部と、このリード部から延設された放熱片と、を有する電気コネクタ。
【００１１】
（１）の発明による電気コネクタは、電線を結線する相手側コネクタが挿入される。又、（１）の発明による電気コネクタは、プリント基板に実装されている。そして、電気コネクタは、直方体状のハウジングと一つ以上のコンタクトを備えている。
【００１２】
ハウジングは、相手側ハウジングが嵌合する開口と、この開口に連設された空洞のコンタクト収容室を有している。コンタクトは、相手側コンタクトとプリント基板とを電気的に接続している。
【００１３】
コンタクトは、接続部、リード部、及び放熱片を有している。接続部は、相手側コンタクトに接続できる。リード部は、プリント基板に接続している。そして、放熱片は、リード部から延設している。
【００１４】
プリント基板に実装される電気コネクタは、ベースコネクタ又はジャックであってよく、相手側コネクタは、プラグコネクタ又は電源プラグであってもよい。電気コネクタは、相手側コネクタがプリント基板の実装面と略平行に挿入される水平取付形コネクタであってもよく、相手側コネクタがプリント基板の実装面と略平行に挿入される水平取付形コネクタであってもよい。
【００１５】
ハウジングは、絶縁性を有している。絶縁性のハウジングとは、非導電性の材料からなるハウジングのことであってよく、合成樹脂を成形して、所望の形状の絶縁性のハウジングを得ることができる。
【００１６】
ハウジングは、角形であってよく、角形のハウジングとは、この発明による電気コネクタ及び相手側コネクタが互いに矩形の結合面を有する角形コネクタであることを意味している。この発明による電気コネクタは、開口を有している。一方、相手側コネクタは、ヘッダ部を有している。そして、開口及びヘッダ部を互いに嵌合できる。
【００１７】
コンタクトは導電性を有しており、導電性の金属板を打ち抜き加工又は折り曲げ加工して、所望の形状の導電性のコンタクトを得ることができる。コンタクトは加工の容易性や、ばね特性、導電性などを考慮すれば、例えば、銅合金が好ましく用いられるが、銅合金に限定される訳ではない。
【００１８】
例えば、一方のコンタクトが正極であって、他方のコンタクトを負極とすることができる。この場合、相手側コンタクトの極性が正しく一対のコンタクトと接続できるように、この発明による電気コネクタの開口にキー溝を設けてよく、キー溝に案内される相手側コネクタのヘッダにキーを設けてもよい。
【００１９】
例えば、（１）の発明による電気コネクタは、電線を結線する相手側コネクタがプリント基板の実装面と略平行に挿入できるように、当該プリント基板に実装される電気コネクタであって、相手側ハウジングが嵌合する開口を第１側面に設け、この第１側面に開口された空洞のコンタクト収容室を有する直方体状のハウジングと、相手側コンタクトに接続するブレード状の接続片を前記コンタクト収容室の内部で対向して配置する一対のＵ字状のコンタクトと、を備え、前記ハウジングは、相反する向きに向かう一対の切り欠き部を前記第１側面の両翼に隣接する第２側面及び第３側面に有し、前記コンタクトは、前記接続片の基端部から反転するように延びて、当該接続片に対向する帯板状の放熱片を有し、この放熱片がその外面が前記切り欠き部に表出するように、構成してもよい。
【００２０】
又、（１）の発明による電気コネクタは、電線を結線する相手側コネクタがプリント基板の実装面と略垂直に挿入できるように、当該プリント基板に実装される電気コネクタであって、相手側ハウジングが嵌合する開口を第１側面に設け、この第１側面に開口された空洞のコンタクト収容室を有する直方体状のハウジングと、相手側コンタクトに接続するブレード状の接続片を前記コンタクト収容室の内部で対向して配置する一対のＵ字状のコンタクトと、を備え、前記ハウジングは、相反する向きに向かう一対の切り欠き部を前記第１側面の両翼に隣接する第２側面及び第３側面に有し、前記コンタクトは、前記接続片の基端部から反転するように延びて、当該接続片に対向する帯板状の放熱片を有し、この放熱片がその外面が前記切り欠き部に表出するように、構成してもよい。
【００２１】
（１）の発明による電気コネクタは、電線を結線する相手側コネクタがプリント基板の実装面と略平行に挿入できるように、プリント基板に実装される。（１）の発明による電気コネクタは、電線を結線する相手側コネクタがプリント基板の実装面と略垂直に挿入できるように、プリント基板に実装されていてもよい。そして、電気コネクタは、直方体状のハウジングと一対のＵ字状のコンタクトを備えている。
【００２２】
ハウジングは、相手側ハウジングが嵌合する開口を第１側面に設け、第１側面に開口された空洞のコンタクト収容室を有している。一対のコンタクトは、相手側コンタクトに接続するブレード状の接続片をコンタクト収容室の内部で対向して配置している。
【００２３】
ハウジングは、相反する向きに向かう一対の切り欠き部を第２側面及び第３側面に有している。第２側面及び第３側面は、第１側面の両翼に隣接している。コンタクトは、接続片に対向する帯板状の放熱片を有している。放熱片は、接続片の基端部から反転するように延びている。そして、放熱片は、その外面が切り欠き部に表出している。
【００２４】
（１）の発明による電気コネクタは、コンタクトがそのリード部から延設された放熱片を有し、帯板状の放熱片の外面が切り欠き部に表出しているので、プリント基板に供給する定格電流値を大きくすることが可能になる。又、この電気コネクタを内蔵する電子機器の内部発熱を抑制することも可能になる。
【００２５】
（２）  前記放熱片は、前記プリント基板にハンダ接合可能な補強タブを有する（１）記載の電気コネクタ。
【００２６】
（２）の発明による電気コネクタは、放熱片の一部が屈曲されて、切り欠き部から突出するように構成することが好ましく、放熱面積が拡大し、放熱効果を向上できる。又、（２）の発明による電気コネクタは、プリント基板にハンダ接合可能な補強タブを有するので、プリント基板への支持強度が補強される。
【００２７】
（３）  前記相手側コネクタが前記プリント基板の実装面と略平行に挿入される（１）又は（２）記載の電気コネクタ。
【００２８】
水平取付形コネクタは、相手側コネクタがプリント基板の実装面に略垂直に挿入される垂直取付形コネクタと比べ、プリント基板の実装高さを低くできるという利点がある。
【００２９】
（４）  前記相手側コネクタが前記プリント基板の実装面と略垂直に挿入される（１）又は（２）記載の電気コネクタ。
【００３０】
垂直取付形コネクタは、相手側コネクタがプリント基板の実装面と略水平に挿入される水平取付形コネクタと比べ、プリント基板への実装場所に制約がないという利点がある。
【発明の効果】
【００３１】
本発明による電気コネクタは、コンタクトがそのリード部から延設された放熱片を有するので、プリント基板に供給する定格電流値を大きくすることが可能になる。又、この電気コネクタを内蔵する電子機器の内部発熱を抑制することも可能になる。
【図面の簡単な説明】
【００３２】
【図１】本発明の第１実施形態による電気コネクタの構成を示す斜視図であり、第１実施形態による電気コネクタと相手側コネクタを対向配置した状態図である。
【図２】第１実施形態による電気コネクタの構成を示す斜視分解組立図であり、第１実施形態によるハウジングと相手側ハウジングを対向配置した状態図である。
【図３】第１実施形態による電気コネクタの構成を示す外観図であり、図３（Ａ）は電気コネクタの平面図、図３（Ｂ）は電気コネクタの正面図、図３（Ｃ）は図３（Ａ）のＸ−Ｘ矢視断面図である。
【図４】第１実施形態による電気コネクタの構成を示す外観図であり、図４（Ａ）は電気コネクタの右側面図、図４（Ｂ）は、図３（Ｂ）のＹ−Ｙ矢視断面図である。
【図５】第１実施形態による電気コネクタに備わるハウジングの構成を示す外観図であり、図５（Ａ）はハウジングの平面図、図５（Ｂ）はハウジングの正面図、図５（Ｃ）はハウジングの下面図、図５（Ｄ）はハウジングの右側面図、図５（Ｅ）は、図５（Ａ）のＸ１−Ｘ１矢視断面図、図５（Ｆ）は、図５（Ａ）のＸ２−Ｘ２矢視断面図である。
【図６】第１実施形態による電気コネクタに備わる一方のコンタクトの構成を示す外観図であり、図６（Ａ）はコンタクトの正面図、図６（Ｂ）はコンタクトの下面図、図６（Ｃ）はコンタクトの左側面図、図６（Ｄ）はコンタクトの右側面図である。
【図７】第１実施形態による電気コネクタに挿入する相手側コンタクトの構成を示す外観図であり、図７（Ａ）は相手側コンタクトの平面図、図７（Ｂ）は、相手側コンタクトの左側面図、図７（Ｃ）は相手側コンタクトの正面図、図７（Ｄ）は、図７（Ａ）のＸ−Ｘ矢視断面図である。
【図８】第１実施形態による電気コネクタに相手側コネクタが接続された状態での横断面図である。
【図９】第１実施形態による電気コネクタに相手側コネクタが接続された状態での縦断面図である。
【図１０】本発明の第２実施形態による電気コネクタの構成を示す斜視図であり、第２実施形態による電気コネクタと相手側コネクタを対向配置した状態図である。
【図１１】第２実施形態による電気コネクタの構成を示す斜視分解組立図であり、実施形態によるハウジングと相手側ハウジングを対向配置した状態図である。
【図１２】第２実施形態による電気コネクタの構成を示す外観図であり、図１２（Ａ）は電気コネクタの平面図、図１２（Ｂ）は電気コネクタの正面図、図１２（Ｃ）は図１２（Ａ）のＸ−Ｘ矢視断面図である。
【図１３】第２実施形態による電気コネクタの構成を示す外観図であり、図１３（Ａ）は電気コネクタの右側面図、図１３（Ｂ）は、図１２（Ｂ）のＹ−Ｙ矢視断面図である。
【図１４】第２実施形態による電気コネクタに備わる一方のコンタクトの構成を示す外観図であり、図６（Ａ）はコンタクトの正面図、図６（Ｂ）はコンタクトの下面図、図６（Ｃ）はコンタクトの左側面図、図６（Ｄ）はコンタクトの右側面図である。
【図１５】本発明の第３実施形態による電気コネクタの構成を示す斜視図であり、第３実施形態による電気コネクタと相手側コネクタを対向配置した状態図である。
【図１６】第３実施形態による電気コネクタの構成を示す斜視分解組立図であり、第３実施形態によるハウジングと相手側ハウジングを対向配置した状態図である。
【図１７】第３実施形態による電気コネクタの構成を示す外観図であり、図１７（Ａ）は電気コネクタの平面図、図１７（Ｂ）は電気コネクタの正面図、図１７（Ｃ）は図１７（Ａ）のＸ−Ｘ矢視断面図である。
【図１８】第３実施形態による電気コネクタの構成を示す外観図であり、図１８（Ａ）は電気コネクタの右側面図、図１８（Ｂ）は、図１７（Ｂ）のＹ−Ｙ矢視断面図である。
【図１９】第３実施形態による電気コネクタに備わるハウジングの構成を示す外観図であり、図１９（Ａ）はハウジングの平面図、図１９（Ｂ）はハウジングの正面図、図１８（Ｃ）はハウジングの下面図、図１９（Ｄ）はハウジングの右側面図、図１９（Ｅ）は、図１９（Ａ）のＸ１−Ｘ１矢視断面図、図１９（Ｆ）は、図１９（Ａ）のＸ２−Ｘ２矢視断面図である。
【図２０】第３実施形態による電気コネクタに相手側コネクタが接続された状態での縦断面図である。
【発明を実施するための形態】
【００３３】
以下、図面を参照して本発明を実施するための形態を説明する。なお、本発明の実施形態による電気コネクタをジャックとし、相手側コネクタをプラグとして、以下に説明する。
【００３４】
［第１実施形態］
（電気コネクタの構成）
最初に、本発明の第１実施形態による電気コネクタの構成を説明する。図１は、本発明の第１実施形態による電気コネクタの構成を示す斜視図であり、第１実施形態による電気コネクタと相手側コネクタを対向配置した状態図である。図２は、第１実施形態による電気コネクタの構成を示す斜視分解組立図であり、第１実施形態によるハウジングと相手側ハウジングを対向配置した状態図である。
【００３５】
図１又は図２を参照すると、第１実施形態によるジャック１０は、プリント基板１ｐに実装されている。第１実施形態によるプラグ２０は、一組の電線２ｗ・２ｗを結線している。ジャック１０には、プリント基板１ｐの実装面１１ｐと略平行にプラグ２０を挿入できる。第１実施形態によるジャック１０は、プラグ２０がプリント基板１ｐの実装面１１ｐと略平行に挿入される水平取付形コネクタを構成している。
【００３６】
図１又は図２を参照すると、ジャック１０は、直方体状のハウジング１と一対のＵ字状のコンタクト３ａ・３ｂを備えている。プラグ２０は、直方体状のハウジング（相手側ハウジング）２と一対のコンタクト（相手側コンタクト）４ａ・４ｂを備えている。ハウジング２は、ヘッダ部２１とフレーム部２２で構成されている。一対のコンタクト４ａ・４ｂ、一組の電線２ｗ・２ｗの端末を結線している。
【００３７】
図１又は図２を参照すると、ハウジング１は、ヘッダ部２１が嵌合する開口１１を第１側面１ａに設けている。又、ハウジング１は、開口１１に連設された空洞のコンタクト収容室１２を第１側面１ａに有している。
【００３８】
図１又は図２を参照すると、コンタクト３ａは、コンタクト４ａに接続する接続部となるブレード状の接続片３１を有している。コンタクト３ｂは、コンタクト４ａに接続する接続部となるブレード状の接続片３１を有している。これらの接続片３１・３１は、コンタクト収容室１２の内部で対向して配置されている。
【００３９】
図１又は図２を参照すると、ハウジング１は、第２側面１ｂ及び第３側面１ｃを第１側面１ａの両翼に隣接している。第２側面１ｂは、切り欠き部１３を有している。第３側面１ｃは、切り欠き部１４を有している。そして、一対の切り欠き部１３・１４は、相反する向きに向かうように開放されている。
【００４０】
図１又は図２を参照すると、コンタクト３ａは、接続片３１の基端部から反転するように延びる（延設された）帯板状の放熱片３２を有している。そして、放熱片３２は、接続片３１に対向している。又、コンタクト３ｂは、接続片３１の基端部から反転するように延びる（延設された）帯板状の放熱片３２を有している。そして、放熱片３２は、接続片３１に対向している。
【００４１】
図１又は図２を参照すると、コンタクト３ａの放熱片３２は、その外面が切り欠き部１３に表出している。一方、コンタクト３ｂの放熱片３２は、その外面が切り欠き部１４に表出している。
【００４２】
引き続き、第１実施形態によるジャック１０の構成を説明する。図３は、第１実施形態による電気コネクタの構成を示す外観図であり、図３（Ａ）は電気コネクタの平面図、図３（Ｂ）は電気コネクタの正面図、図３（Ｃ）は図３（Ａ）のＸ−Ｘ矢視断面図である。
【００４３】
図４は、第１実施形態による電気コネクタの構成を示す外観図であり、図４（Ａ）は電気コネクタの右側面図、図４（Ｂ）は、図３（Ｂ）のＹ−Ｙ矢視断面図である。図５は、第１実施形態による電気コネクタに備わるハウジングの構成を示す外観図であり、図５（Ａ）はハウジングの平面図、図５（Ｂ）はハウジングの正面図、図５（Ｃ）はハウジングの下面図、図５（Ｄ）はハウジングの右側面図、図５（Ｅ）は、図５（Ａ）のＸ１−Ｘ１矢視断面図、図５（Ｆ）は、図５（Ａ）のＸ２−Ｘ２矢視断面図である。
【００４４】
図１及び図２、又は図３を参照すると、コンタクト３ａの放熱片３２は、その一部が突出して、プリント基板１ｐにハンダ接合できる底面３２ａを有している。コンタクト３ｂの放熱片３２は、その一部が突出して、プリント基板１ｐにハンダ接合できる底面３２ｂを有している。
【００４５】
図２又は図５を参照すると、ハウジング１は、一対のスリット状の第１溝１５ａ・１５ｂ、一対のスリット状の第２溝１６ａ・１６ｂ、及び一対のスリット状の第３溝１７ａ・１７ｂを有している。一対の第１溝１５ａ・１５ｂには、ハウジング１の底面１ｄと対向する第４側面１ｅから一対の接続片３１・３１の板厚面がそれぞれ挿入される。又、一対の第１溝１５ａ・１５ｂは、コンタクト収容室１２に連通している。
【００４６】
図２及び図３から図５を参照すると、一対の第２溝１６ａ・１６ｂには、第４側面１ｅから一対の放熱片３２・３２の板厚面がそれぞれ挿入される。又、第２溝１６ａ・１６ｂは、一対の切り欠き部１３・１４にそれぞれ連通している。
【００４７】
図２及び図３から図５を参照すると、第３溝１７ａは、第１溝１５ａと第２溝１６ａを連通している。一方、第３溝１７ｂは、第１溝１５ｂと第２溝１６ｂを連通している。コンタクト３ａは、第３溝１７ａの底面に圧入される圧入片１８ａを有している。コンタクト３ｂは、第３溝１７ｂの底面に圧入される圧入片１８ｂを有している。
【００４８】
第１実施形態によるジャック１０は、第１溝１５ａ、第２溝１６ａ、及び第３溝１７ａで形成されるＵ字状の溝に向かって、コンタクト３ａを容易に組み込むことができる。又、第１実施形態によるジャック１０は、第１溝１５ｂ、第２溝１６ｂ、及び第３溝１７ｂで形成されるＵ字状の溝に向かって、コンタクト３ｂを容易に組み込むことができる。
【００４９】
図１から図５を参照すると、ハウジング１の開口１１には、一対のキー溝１１ａ・１１ｂを設けている。一方、ハウジング２のヘッダ部２１には、一対のキー溝１１ａ・１１ｂに嵌合して案内される一対のキー２１ａ・２１ｂを設けている。したがって、コンタクトの極性違いによる、接続誤りを防止できる。
【００５０】
図１から図５を参照すると、ジャック１０は、ハウジング１の第４側面１ｅにラッチ１１ｃを設けている。一方、プラグ２０は、フレーム部２２にロックレバー２２ｃを設けている。プラグ２０をジャック１０に挿入すると、ロックレバー２２ｃをラッチ１１ｃに係止できる。ロックレバー２２ｃのレバーを押すと、係合が解除されて、プラグ２０をジャック１０から引く抜くことができる。
【００５１】
次に、一対のコンタクト３ａ・３ｂの構造を説明する。なお、コンタクト３ａとコンタクト３ｂとは、ハウジング１に対して線対称に構成されているので、一方のコンタクト３ａを代表して説明する場合がある。
【００５２】
図６は、第１実施形態による電気コネクタに備わる一方のコンタクトの構成を示す外観図であり、図６（Ａ）はコンタクトの正面図、図６（Ｂ）はコンタクトの下面図、図６（Ｃ）はコンタクトの左側面図、図６（Ｄ）はコンタクトの右側面図である。
【００５３】
図６を参照すると、コンタクト３ａの接続片３１は、その基端部側にリード部３１ａを有している。コンタクト３ａの放熱片３２は、リード部３１ａから延設している。コンタクト３ｂの接続片３１は、その基端部側にリード部３１ｂを有している（図３参照）。コンタクト３ｂの放熱片３２は、リード部３１ｂから延設している。
【００５４】
図１又は図３を参照すると、一対のリード部３１ａ・３１ｂは、ハウジング１の底面１ｄから僅かに突出している。そして、これらのリード部３１ａ・３１ｂの底面をプリント基板１ｐにハンダ接合できる。すなわち、第１実施形態によるジャック１０は、表面実装形のコネクタを構成している。一対のリード部３１ａ・３１ｂにコンタクトピンを設けて、ジャック１０をスルーホール実装形のコネクタとすることもできる。
【００５５】
次に、プラグ２０に備わる一対のコンタクト４ａ・４ｂの構造を説明する。コンタクト４ａとコンタクト４ｂは、同じものであるが、説明の便宜上、符号を変えて区別した。そして、コンタクト４ａを代表して説明する場合がある。
【００５６】
図７は、相手側コンタクトの構成を示す外観図であり、図７（Ａ）は相手側コンタクトの平面図、図７（Ｂ）は、相手側コンタクトの左側面図、図７（Ｃ）は相手側コンタクトの正面図、図７（Ｄ）は、図７（Ａ）のＸ−Ｘ矢視断面図である。
【００５７】
図８は、前記実施形態による電気コネクタに相手側コネクタが接続された状態での横断面図である。図９は、前記実施形態による電気コネクタに相手側コネクタが接続された状態での縦断面図である。
【００５８】
図７を参照すると、コンタクト４ａ及びコンタクト４ｂは、展開された導電性の金属板が成形されている。コンタクト４ａは、長尺状の圧着部４１とコンタクト接続部４２を備えている。圧着部４１には、電線２ｗが接続される。コンタクト接続部４２は、圧着部４１の基端側に設けられ、接続片３１に接続される。
【００５９】
図７を参照すると、圧着部４１は、Ｕ字状に開口するインシュレーショングリップ４１ａとコンダクタグリップ４１ｂを備えている。図９を参照すると、インシュレーショングリップ４１ａは、電線２ｗの被覆部を圧着している。コンダクタグリップ４１ｂは、電線２ｗの芯線を圧着している。そして、電線２ｗの端末を圧着した一対のコンタクト４ａ・４ｂがハウジング２の内部に挿入されている。
【００６０】
図７を参照すると、コンタクト接続部４２は、一対の接触片４２ａ・４２ｂを先端部側に有している。又、コンタクト接続部４２は、一対の案内片４２ｃ・４２ｄを基端部側に有している。一対の接触片４２ａ・４２ｂは、接続片３１を挟持するように接続できる。一対の案内片４２ｃ・４２ｄは、箱状に成形されて、ハウジング２の内部の収容室に保持されている（図８又は図９参照）。
【００６１】
（電気コネクタの作用）
次に、第１実施形態によるジャック１０の作用及び効果を説明する。図１から図６を参照すると、第１実施形態によるジャック１０は、一対の帯板状の放熱片３２・３２の外面が切り欠き部１３・１４にそれぞれ表出しているので、プリント基板１ｐに供給する定格電流値を大きくすることが可能になる。又、第１実施形態によるジャック１０を内蔵する電子機器の内部発熱を抑制することも可能になる。
【００６２】
更に、第１実施形態によるジャック１０は、第１溝、第２溝、及び第３溝で形成されるＵ字状の一対の溝に向かって、一対のコンタクト３ａ・３ｂをそれぞれ容易に組み込むことができる。
【００６３】
［第２実施形態］
（電気コネクタの構成）
次に、本発明の第２実施形態による電気コネクタの構成を説明する。図１０は、本発明の第２実施形態による電気コネクタの構成を示す斜視図であり、第２実施形態による電気コネクタと相手側コネクタを対向配置した状態図である。図１１は、第２実施形態による電気コネクタの構成を示す斜視分解組立図であり、実施形態によるハウジングと相手側ハウジングを対向配置した状態図である。
【００６４】
図１０又は図１１を参照すると、第２実施形態によるジャック５０は、プリント基板１ｐに実装されている。ジャック５０には、プリント基板１ｐの実装面１１ｐと略平行にプラグ２０を挿入できる。なお、実施形態によるプラグ２０及びハウジング１は、第１実施形態で開示されたものと同じであるので、以下では、説明を割愛する場合がある。
【００６５】
図１０又は図１１を参照すると、ジャック５０は、直方体状のハウジング１と一対のＵ字状のコンタクト５ａ・５ｂを備えている。コンタクト３ａは、コンタクト４ａに接続する接続部となるブレード状の接続片５１を有している。コンタクト５ｂは、コンタクト４ａに接続する接続部となるブレード状の接続片５１を有している。これらの接続片５１・５１は、コンタクト収容室１２の内部で対向して配置されている。
【００６６】
図１０又は図１１を参照すると、コンタクト５ａは、接続片５１の基端部から反転するように延びる（延設された）帯板状の放熱片５２を有している。そして、放熱片５２は、接続片５１に対向している。又、コンタクト５ｂは、接続片５１の基端部から反転するように延びる（延設された）帯板状の放熱片５２を有している。そして、放熱片５２は、接続片５１に対向している。
【００６７】
図１０又は図１１を参照すると、コンタクト５ａの放熱片５２は、その外面が切り欠き部１３に表出している。一方、コンタクト５ｂの放熱片５２は、その外面が切り欠き部１４に表出している。
【００６８】
引き続き、第２実施形態によるジャック５０の構成を説明する。図１２は、第２実施形態による電気コネクタの構成を示す外観図であり、図１２（Ａ）は電気コネクタの平面図、図１２（Ｂ）は電気コネクタの正面図、図１２（Ｃ）は図１２（Ａ）のＸ−Ｘ矢視断面図である。
【００６９】
図１３は、第２実施形態による電気コネクタの構成を示す外観図であり、図１３（Ａ）は電気コネクタの右側面図、図１３（Ｂ）は、図１２（Ｂ）のＹ−Ｙ矢視断面図である。
【００７０】
図１０から図１３を参照すると、コンタクト５ａの放熱片５２は、その一部が屈曲されて、切り欠き部１３から突出する補強タブ５２ａを有している。コンタクト５ｂの放熱片５２は、その一部が屈曲されて、切り欠き部１４から突出する補強タブ５２ｂを有している。そして、一対の補強タブ５２ａ・５２ｂは、プリント基板１ｐにハンダ接合できる。
【００７１】
図１０から図１３を参照すると、一対の第２溝１６ａ・１６ｂには、第４側面１ｅから一対の放熱片５２・５２の板厚面がそれぞれ挿入される。又、第２溝１６ａ・１６ｂは、一対の切り欠き部１３・１４にそれぞれ連通している。
【００７２】
図５及び図１０から図１３を参照すると、第３溝１７ａは、第１溝１５ａと第２溝１６ａを連通している。一方、第３溝１７ｂは、第１溝１５ｂと第２溝１６ｂを連通している。コンタクト５ａは、第３溝１７ａの底面に圧入される圧入片１８ａを有している。コンタクト５ｂは、第３溝１７ｂの底面に圧入される圧入片１８ｂを有している。
【００７３】
第２実施形態によるジャック５０は、第１溝１５ａ、第２溝１６ａ、及び第３溝１７ａで形成されるＵ字状の溝に向かって、コンタクト５ａを容易に組み込むことができる。又、第２実施形態によるジャック５０は、第１溝１５ｂ、第２溝１６ｂ、及び第３溝１７ｂで形成されるＵ字状の溝に向かって、コンタクト５ｂを容易に組み込むことができる。
【００７４】
次に、一対のコンタクト５ａ・５ｂの構造を説明する。なお、コンタクト５ａとコンタクト５ｂとは、ハウジング１に対して線対称に構成されているので、一方のコンタクト５ａを代表して説明する場合がある。
【００７５】
図１４は、第１実施形態による電気コネクタに備わる一方のコンタクトの構成を示す外観図であり、図６（Ａ）はコンタクトの正面図、図６（Ｂ）はコンタクトの下面図、図６（Ｃ）はコンタクトの左側面図、図６（Ｄ）はコンタクトの右側面図である。
【００７６】
図１４を参照すると、コンタクト５ａの放熱片５２は、その一部が屈曲された補強タブ５２ａを有している。コンタクト５ａの接続片５１は、その基端部側にリード部５１ａを有している。コンタクト５ａの放熱片５２は、リード部５１ａから延設している。コンタクト５ｂの接続片５１は、その基端部側にリード部５１ｂを有している（図１２参照）。コンタクト５ｂの放熱片５２は、リード部５１ｂから延設している。
【００７７】
図１０又は図１２を参照すると、一対のリード部５１ａ・５１ｂは、ハウジング１の底面１ｄから僅かに突出している。そして、これらのリード部５１ａ・５１ｂの底面をプリント基板１ｐにハンダ接合できる。すなわち、第２実施形態によるジャック５０は、表面実装形のコネクタを構成している。一対のリード部５１ａ・５１ｂにコンタクトピンを設けて、ジャック５０をスルーホール実装形のコネクタとすることもできる。
【００７８】
（電気コネクタの作用）
次に、第２実施形態によるジャック５０の作用及び効果を説明する。図１０から図１３を参照すると、第２実施形態によるジャック５０は、一対の放熱片５２・５２の一部が屈曲されて、切り欠き部１３・１４にそれぞれ突出するので、放熱面積が拡大し、放熱効果を向上できる。又、第２実施形態によるジャック１０を内蔵する電子機器の内部発熱を抑制することも可能になる。
【００７９】
更に、第２実施形態によるジャック５０は、第１溝、第２溝、及び第３溝で形成されるＵ字状の一対の溝に向かって、一対のコンタクト５ａ・５ｂをそれぞれ容易に組み込むことができる。又、第２実施形態によるジャック５０は、プリント基板１ｐにハンダ接合可能な一対の補強タブ５２ａ・５２ｂを有するので、プリント基板１ｐへの支持強度が補強される。
【００８０】
［第３実施形態］
（電気コネクタの構成）
次に、本発明の第３実施形態による電気コネクタの構成を説明する。図１５は、本発明の第３実施形態による電気コネクタの構成を示す斜視図であり、第３実施形態による電気コネクタと相手側コネクタを対向配置した状態図である。図１６は、第３実施形態による電気コネクタの構成を示す斜視分解組立図であり、第３実施形態によるハウジングと相手側ハウジングを対向配置した状態図である。
【００８１】
図１５又は図１６を参照すると、第３実施形態によるジャック６０は、プリント基板１ｐに実装されている。第３実施形態によるプラグ８０は、一組の電線２ｗ・２ｗを結線している。ジャック６０には、プリント基板１ｐの実装面１１ｐと略垂直にプラグ８０を挿入できる。第３実施形態によるジャック６０は、プラグ８０がプリント基板１ｐの実装面１１ｐと略垂直に挿入される垂直取付形コネクタを構成している。
【００８２】
図１５又は図１６を参照すると、ジャック６０は、直方体状のハウジング６と一対のＵ字状のコンタクト５ａ・５ｂを備えている。プラグ８０は、直方体状のハウジング（相手側ハウジング）８と一対のコンタクト（相手側コンタクト）４ａ・４ｂを備えている。ハウジング８は、ヘッダ部８１とフレーム部８２で構成されている。一対のコンタクト４ａ・４ｂ、一組の電線２ｗ・２ｗの端末を結線している。
【００８３】
図１５又は図１６を参照すると、ハウジング６は、ヘッダ部８１が嵌合する開口６１を第１側面６ａに設けている。又、ハウジング６は、開口６１に連設された空洞のコンタクト収容室６２を第１側面６ａに有している。
【００８４】
図１５又は図１６を参照すると、コンタクト５ａは、コンタクト４ａに接続する接続部となるブレード状の接続片５１を有している。コンタクト５ｂは、コンタクト４ａに接続する接続部となるブレード状の接続片５１を有している。これらの接続片５１・５１は、コンタクト収容室６２の内部で対向して配置されている。
【００８５】
図１５又は図１６を参照すると、ハウジング６は、第２側面６ｂ及び第３側面６ｃを第１側面６ａの両翼に隣接している。第２側面６ｂは、切り欠き部６３を有している。第３側面６ｃは、切り欠き部６４を有している。そして、一対の切り欠き部６３・６４は、相反する向きに向かうように開放されている。
【００８６】
図１５又は図１６を参照すると、コンタクト５ａは、接続片５１の基端部から反転するように延びる（延設された）帯板状の放熱片５２を有している。そして、放熱片５２は、接続片５１に対向している。又、コンタクト５ｂは、接続片５１の基端部から反転するように延びる（延設された）帯板状の放熱片５２を有している。そして、放熱片５２は、接続片５１に対向している。
【００８７】
図１５又は図１６を参照すると、コンタクト５ａの放熱片５２は、その外面が切り欠き部６３に表出している。一方、コンタクト５ｂの放熱片５２は、その外面が切り欠き部６４に表出している。
【００８８】
引き続き、第３実施形態によるジャック６０の構成を説明する。図１７は、第３実施形態による電気コネクタの構成を示す外観図であり、図１７（Ａ）は電気コネクタの平面図、図１７（Ｂ）は電気コネクタの正面図、図１７（Ｃ）は図１７（Ａ）のＸ−Ｘ矢視断面図である。
【００８９】
図１８は、第３実施形態による電気コネクタの構成を示す外観図であり、図１８（Ａ）は電気コネクタの右側面図、図１８（Ｂ）は、図１７（Ｂ）のＹ−Ｙ矢視断面図である。図１９は、第３実施形態による電気コネクタに備わるハウジングの構成を示す外観図であり、図１９（Ａ）はハウジングの平面図、図１９（Ｂ）はハウジングの正面図、図１８（Ｃ）はハウジングの下面図、図１９（Ｄ）はハウジングの右側面図、図１９（Ｅ）は、図１９（Ａ）のＸ１−Ｘ１矢視断面図、図１９（Ｆ）は、図１９（Ａ）のＸ２−Ｘ２矢視断面図である。
【００９０】
図１５から図１７を参照すると、コンタクト５ａの放熱片５２は、その一部が屈曲されて、切り欠き部６３から突出する補強タブ５２ａを有している。コンタクト５ｂの放熱片５２は、その一部が屈曲されて、切り欠き部６４から突出する補強タブ５２ｂを有している。そして、一対の補強タブ５２ａ・５２ｂは、プリント基板１ｐにハンダ接合できる。
【００９１】
図１５から図１９を参照すると、ハウジング６は、一対のスリット状の第１溝６５ａ・６５ｂ、一対のスリット状の第２溝６６ａ・６６ｂ、及び一対のスリット状の第３溝６７ａ・６７ｂを有している。一対の第１溝６５ａ・６５ｂには、コンタクト収容室６２の底面と略平行に一対の接続片５１・５１がそれぞれ挿入される。又、一対の第１溝６５ａ・６５ｂは、コンタクト収容室６２に連通している。
【００９２】
図１５から図１９を参照すると、一対の第２溝６６ａ・６６ｂには、第１側面１ａから一対の放熱片５２・５２の板厚面がそれぞれ挿入される。又、第２溝６６ａ・６６ｂは、一対の切り欠き部６３・６４にそれぞれ連通している。
【００９３】
図１５から図１９を参照すると、第３溝６７ａは、第１溝６５ａと第２溝６６ａを連通している。一方、第３溝６７ｂは、第１溝６５ｂと第２溝６６ｂを連通している。コンタクト５ａは、第３溝６７ａの底面に圧入される圧入片１８ａを有している。コンタクト５ｂは、第３溝６７ｂの底面に圧入される圧入片１８ｂを有している。
【００９４】
第３実施形態によるジャック６０は、第１溝６５ａ、第２溝６６ａ、及び第３溝６７ａで形成されるＵ字状の溝に向かって、コンタクト５ａを容易に組み込むことができる。又、第３実施形態によるジャック６０は、第１溝６５ｂ、第２溝６６ｂ、及び第３溝６７ｂで形成されるＵ字状の溝に向かって、コンタクト５ｂを容易に組み込むことができる。
【００９５】
図１５から図１９を参照すると、ハウジング６の開口６１には、キー溝６１ａを設けている。一方、ハウジング８のヘッダ部８１には、一対のキー溝６１ａに嵌合して案内されるキー８１ａを設けている。したがって、コンタクトの極性違いによる、接続誤りを防止できる。
【００９６】
図１５又は図１６を参照すると、ジャック６０は、ハウジング６の第４側面６ｅにラッチ６１ｃを設けている。一方、プラグ８０は、フレーム部８２にロックレバー８２ｃを設けている。プラグ８０をジャック６０に挿入すると、ロックレバー８２ｃをラッチ６１ｃに係止できる。ロックレバー８２ｃのレバーを押すと、係合が解除されて、プラグ８０をジャック６０から引く抜くことができる。
【００９７】
図１４を参照すると、コンタクト５ａの放熱片５２は、その一部が屈曲された補強タブ５２ａを有している。コンタクト５ａの接続片５１は、その基端部側にリード部５１ａを有している。コンタクト５ａの放熱片５２は、リード部５１ａから延設している。コンタクト５ｂの接続片５１は、その基端部側にリード部５１ｂを有している（図１２参照）。コンタクト５ｂの放熱片５２は、リード部５１ｂから延設している。
【００９８】
図１５から図１７を参照すると、一対のリード部５１ａ・５１ｂは、ハウジング６の底面６ｄから僅かに突出している。そして、これらのリード部５１ａ・５１ｂの底面をプリント基板１ｐにハンダ接合できる。すなわち、第３実施形態によるジャック６０は、表面実装形のコネクタを構成している。一対のリード部５１ａ・５１ｂにコンタクトピンを設けて、ジャック６０をスルーホール実装形のコネクタとすることもできる。
【００９９】
次に、プラグ８０に備わる一対のコンタクト４ａ・４ｂの構造を説明する。コンタクト４ａとコンタクト４ｂは、同じものであるが、説明の便宜上、符号を変えて区別した。そして、コンタクト４ａを代表して説明する場合がある。図２０は、第３実施形態による電気コネクタに相手側コネクタが接続された状態での縦断面図である。
【０１００】
図２０を参照すると、コンタクト４ａ及びコンタクト４ｂは、展開された導電性の金属板が成形されている。コンタクト４ａは、長尺状の圧着部４１とコンタクト接続部４２を備えている。圧着部４１には、電線２ｗが接続される。コンタクト接続部４２は、圧着部４１の基端側に設けられ、接続片５１に接続される。
【０１０１】
図２０を参照すると、圧着部４１は、Ｕ字状に開口するインシュレーショングリップ４１ａとコンダクタグリップ４１ｂを備えている。図２０を参照すると、インシュレーショングリップ４１ａは、電線２ｗの被覆部を圧着している。コンダクタグリップ４１ｂは、電線２ｗの芯線を圧着している。そして、電線２ｗの端末を圧着した一対のコンタクト４ａ・４ｂがハウジング２の内部に挿入されている。
【０１０２】
図２０を参照すると、コンタクト接続部４２は、一対の接触片４２ａ・４２ｂを先端部側に有している。又、コンタクト接続部４２は、一対の案内片４２ｃ・４２ｄを基端部側に有している。一対の接触片４２ａ・４２ｂは、接続片５１を挟持するように接続できる。一対の案内片４２ｃ・４２ｄは、箱状に成形されて、ハウジング８の内部の収容室に保持されている。
【０１０３】
（電気コネクタの作用）
次に、第３実施形態によるジャック６０の作用及び効果を説明する。図１５から図２０を参照すると、第３実施形態によるジャック６０は、一対の放熱片５２・５２の一部が屈曲されて、切り欠き部６３・６４にそれぞれ突出するので、放熱面積が拡大し、放熱効果を向上できる。又、第３実施形態によるジャック６０を内蔵する電子機器の内部発熱を抑制することも可能になる。
【０１０４】
更に、第３実施形態によるジャック６０は、第１溝、第２溝、及び第３溝で形成されるＵ字状の一対の溝に向かって、一対のコンタクト５ａ・５ｂをそれぞれ容易に組み込むことができる。又、第３実施形態によるジャック６０は、プリント基板１ｐにハンダ接合可能な一対の補強タブ５２ａ・５２ｂを有するので、プリント基板１ｐへの支持強度が補強される。
【０１０５】
第３実施形態によるジャック６０は、プリント基板１ｐにハンダ接合可能な一対の補強タブ５２ａ・５２ｂを有することなく、第１実施形態によるジャック１０と同じように、一対の放熱片をプリント基板１ｐにハンダ接合するように構成してもよい。
【符号の説明】
【０１０６】
１  ハウジング
１ｐ  プリント基板
２  ハウジング（相手側ハウジング）
２ｗ  電線
３ａ・３ｂ  一対のコンタクト
４ａ・４ｂ  コンタクト（相手側コンタクト）
１０  ジャック（電気コネクタ）
１１  開口
１１ｐ  実装面（プリント基板の実装面）
１２  コンタクト収容室
２０  プラグ（相手側コネクタ）
３１  接続片（接続部）
３１ａ・３１ｂ  リード部
３２  放熱片
【図１】
0005568332.tif 000002
【図２】
0005568332.tif 000003
【図３】
0005568332.tif 000004
【図４】
0005568332.tif 000005
【図５】
0005568332.tif 000006
【図６】
0005568332.tif 000007
【図７】
0005568332.tif 000008
【図８】
0005568332.tif 000009
【図９】
0005568332.tif 000010
【図１０】
0005568332.tif 000011
【図１１】
0005568332.tif 000012
【図１２】
0005568332.tif 000013
【図１３】
0005568332.tif 000014
【図１４】
0005568332.tif 000015
【図１５】
0005568332.tif 000016
【図１６】
0005568332.tif 000017
【図１７】
0005568332.tif 000018
【図１８】
0005568332.tif 000019
【図１９】
0005568332.tif 000020
【図２０】
0005568332.tif 000021